(57)【要約】【課題】普段は定期的に新聞を見ることができ、その後は最新の情報を知ることが可能な新聞情報配信システムを提供すること。【解決手段】一例の新聞情報配信システムは、新聞記事の基となる新規情報を蓄積するデータベースと、このデータベースに蓄積された新規情報に基づいて所定時刻に紙面構成を決めた新聞を配信する新聞配信手段と、この手段により配信された新聞の記事に対する視聴者の関心を測定する関心度測定手段と、この関心度測定手段により測定された視聴者の関心に応じて関心度の高い記事についてはこの記事に関する情報を前記データベースから更に取得してモバイル端末へ配信するモバイル端末配信手段とを有する。【選択図】図１
2013196261.tif 000002
【特許請求の範囲】
【請求項１】
新聞記事の基となる新規情報を蓄積するデータベースと、
このデータベースに蓄積された新規情報に基づいて所定時刻に紙面構成を決めた新聞を配信する新聞配信手段と、
この手段により配信された新聞の記事に対する視聴者の関心を測定する関心度測定手段と、
この関心度測定手段により測定された視聴者の関心に応じて関心度の高い記事についてはこの記事に関する情報を前記データベースから更に取得してモバイル端末へ配信するモバイル端末配信手段と、
を有することを特徴とする新聞情報配信システム。
【請求項２】
前記モバイル端末配信手段による、新聞情報の配信は、新聞が配信された時から所定時間経過するまで繰り返されることを特徴とする請求項１記載の新聞情報配信システム。
【請求項３】
前記モバイル端末配信手段は、前記新聞配信手段により前記新聞が配信された後の記事に関する情報も前記データベースから取得して配信することを特徴とする請求項１又は２記載の新聞情報配信システム。
【請求項４】
前記新聞配信手段により新聞が配信されるとき、前記モバイル端末配信手段からも新聞情報が配信されることを特徴とする請求項１ないし３のいずれかに記載の新聞情報配信システム。
【請求項５】
前記関心度測定手段は、ツイッタ情報、フェイスブック情報、ブログ情報のうち少なくとも１つの情報から前記新聞情報の各記事に対する感想又はコメントを取得し、その取得数に基づいて前記記事に関する関心度を測定することを特徴とする請求項１ないし４のいずれかに記載の新聞情報配信システム。
【発明の詳細な説明】
【技術分野】
【０００１】
本発明の実施形態は、新聞の情報を配信すると共に、他の媒体も含む読者の関心度に応じて最新の記事情報を継続して配信する新聞情報配信システムに関する。
【背景技術】
【０００２】
従来、電子新聞を各購読者端末に配信し購読者の記事の参照履歴を契約者情報データベースに格納して、このデータベースに格納される参照履歴を参考にして配信記事を抽出し電子新聞として当該購読者に配信する、電子新聞配信システムが知られている。
【先行技術文献】
【特許文献】
【０００３】
【特許文献１】特開２００７−２９９０２６号公報
【発明の概要】
【発明が解決しようとする課題】
【０００４】
上述のシステムは、時々刻々の情報を購読者が知ることができる反面、購読者は端末で電子新聞を見ることが必要であり、いつ情報が更新されるか分からないから、受信する端末を常に稼働しておく必要がある。
【０００５】
本発明は、普段は定期的に新聞を見ることができ、その後は最新の情報を知ることが可能な新聞情報配信システムを提供する。
【課題を解決するための手段】
【０００６】
実施形態は、新聞記事の基となる新規情報を蓄積するデータベースと、このデータベースに蓄積された新規情報に基づいて所定時刻に紙面構成を決めた新聞を配信する新聞配信手段と、この手段により配信された新聞の記事に対する視聴者の関心を測定する関心度測定手段と、この関心度測定手段により測定された視聴者の関心に応じて関心度の高い記事についてはこの記事に関する情報を前記データベースから更に取得してモバイル端末へ配信するモバイル端末配信手段とを有することを特徴とする新聞情報配信システムを提供する。
【図面の簡単な説明】
【０００７】
【図１】一実施形態に係る構成を示す図である。
【図２】図１に示す一実施形態の反応情報取得解析部の構成例を示す図である。
【図３】一実施形態の動作を説明するフローチャートを示す図である。
【発明を実施するための形態】
【０００８】
実施形態について、図面を用いて以下に説明する。図１にこの一実施形態の構成例を示す。なお、ここでいう新聞には、電子的に配信される電子新聞と、紙に印刷されて各家庭に配達され、あるいは駅のスタンドにおいて売られる通常新聞（印刷新聞）が含まれる。
【０００９】
この新聞情報配信システム１０は、広範囲に新しい情報を取得する新規情報取得部１１と、この新規情報取得部１１により得られる新しい情報を新聞の配信のために蓄積する新規情報蓄積データベース（ＤＢ）１２と、この新規情報蓄積ＤＢ１２において蓄積された新規情報を組み立てて、新聞における記事の配置すなわち新聞の組版を決定する新聞組版決定部１３と、この新聞組版決定部１３により決定された記事配置にしたがって新聞を組み立てて配信する新聞配信部１４と、新聞組版決定部１３により決定された新聞の記事配置を配信するモバイル端末に適するように変えて配信するモバイル端末配信部１５と、新聞配信部１４から配信された新聞の新聞視聴者１６ａやモバイル端末視聴者１６ｂから発信される情報を受信しそれら視聴者の反応を情報として取得する反応情報取得解析部１７と、上記新規情報蓄積ＤＢ１２において蓄積された情報及び上記新聞組版決定部１３で決定された新聞の記事配置を上記反応情報取得解析部１７により解析された情報に基づいて修正して情報をウェイト付けし、モバイル端末配信部１５に送る新聞情報変更部１８と、を有する。
【００１０】
新聞配信部１４は、電子的に新聞を配信し、また紙に印刷され通常新聞として配達される場合の両方を含む。したがって、新聞視聴者１６ａには、配達された新聞を読む読者と、パソコンなどで電子新聞を見る視聴者の両方が含まれる。新聞の配信は新聞配信部１４からなされ、新聞情報の配信はモバイル端末配信部１５からなされる。
【００１１】
反応情報取得解析部１７の構成例を図２に示す。この反応情報取得解析部１７は、上記配信した記事に関してインターネット上のツイッタに書き込まれあるいは引用されている情報を集めるツイッタ情報取得部２１と、同じようにフェイスブックに書込み、引用されている情報を集めるフェイスブック情報取得部２２と、その他のソーシャルネットワークや、掲示板などに書込み、引用されている情報を集めるブログ情報取得部２３と、新聞配信部１４から配信された新聞記事について、新聞視聴者１６ａがしたコメントや感想を集める新聞反応情報取得部２４と、これらの情報取得部により取得された情報を解析する反応情報解析部２５と、反応情報解析部２５で解析された結果に基づいて上記配信した記事に関してコメントがある記事、議論になっている記事などを特定し、その関心度を測定する記事関心度測定部２６と、を有する。
【００１２】
新聞反応情報取得部２４は、新聞配信部１４から配信された新聞記事についての視聴者の反応を取得する。新聞には通常新聞と電子新聞が含まれるので、新聞反応情報取得部２４が得る反応情報には、通常新聞に対する反応として読者からメールなどで来るコメントや、電話の感想などと、電子新聞に対してメールなどでなされる視聴者（読者）の電子的なコメント、電話でなされるコメントや感想の２種類がある。
【００１３】
これらの視聴者の反応は、ツイッタや、フェイスブック、その他のブログでなされることもある。これらの反応情報は、ツイッタ情報取得部２１、フェイスブック情報取得部２２、ブログ情報取得部２３で取得される。また図１では、新聞配信部１４とモバイル端末配信部１５、新聞視聴者１６ａとモバイル端末視聴者１６ｂをそれぞれ区別して記載したが、実際には両者の区別が困難な場合も多い。
【００１４】
電話など音声でなされるコメントや感想は受けた人が聞くことにより取得することになる。その他のメール、ブログなどによる電子的な文章による感想やコメントは、受け取った日時、アップロードされた日時、書かれている新聞名、記事に用いられた用語などの語句検索によることが最も容易であるが、これに限られない。
【００１５】
記事関心度測定部２６では、例えば上記のようにして記事に対する反応があったもの（感想、コメント）を１ポイントとして計測し、記事毎にポイントをカウントする。それらの感想、コメントの中で繰り返される語句を検知することにより、一つの記事に対する各反応の大きさをいくつかの段階で区別するウェイト付けを行ってもよい。
【００１６】
ところで一般に記事は、事実を述べる記事と意見とか主張を述べる記事に大別される。特に意見、主張を述べる記事には、視聴者の感想、コメントとしてその記事に対して賛成する反応情報と反対する反応情報、さらにその中間にあたる情報がある。いずれにしても、これらの賛成反応情報と反対反応情報と中間反応情報の総和が多ければ、それだけその記事に対する関心度が高くなる。このようにして反応情報取得解析部１７において得られた各記事の関心度は、新聞情報変更部１８に送られる。
【００１７】
新聞情報変更部１８は、新聞の組版の情報を新聞組版決定部１３から得ており、配信された新聞の各記事に対する視聴者の関心度は、反応情報取得解析部１７から得られる。したがって、新聞情報変更部１８は、新聞の各記事に対する視聴者の関心度の大小を検知することができる。これに基づいて、新聞情報変更部１８はモバイル端末配信部１５に送る記事の詳細度を変える。
【００１８】
また、新規情報蓄積ＤＢ１２には、時々刻々新規情報取得部１１から各記事のその後の情報が蓄積されている。新聞情報変更部１８は、関心度の高い記事について、拡充する。すなわち、新規情報蓄積ＤＢ１２に問い合わせて詳細な情報や新聞を配信した時点以降の情報を取得し反応の大きかった記事は拡充して、モバイル端末配信部１５に送る。このとき、関心の少ない（関心度の低い）記事については小さくされるか削除される。
【００１９】
このように、先に新聞配信された情報が視聴者の関心に応じてその後の情報も加えられて変更され、モバイル端末配信部１５から配信される。
【００２０】
次に、この実施形態の動作を図３に示すフローチャートに基づいて説明する。
【００２１】
まず、ステップＳ３０１で新規情報取得部１１において、新聞記事の基となる新しい情報を取得する。この手段は新聞発行に際して従来から知られている方法であり、いろいろな場所に記者などが赴いて取材し取得する。取得した新規情報はインターネットなどを介した通信により新規情報取得部１１に入力される。インターネットから直接、電子的な方法により取得するものもあり、あらゆる新しいことは新聞記事の源泉となる。
【００２２】
新規情報取得部１１で集められた新規情報は、例えば政治経済、科学などの分野毎、世界、国、日本の関東、東北地方など地域毎、などに分けられ整理した形式で新規情報蓄積ＤＢ１２に蓄積される。この新規情報蓄積ＤＢ１２への蓄積も、ある基準によりウェイト付けしておいて、これに基づいて各記事に優先順位を付けることも可能である。この場合古い情報よりも新しい情報にウェイトが置かれることは重要である。
【００２３】
ステップＳ３０３では、所定時刻になったか検知される。これは、通常、普通新聞の朝刊、夕刊などの配達時期などを考慮し、それからその後に行われる、新聞の組版決定までの時間、配達までの時間を差し引いて決められる。
【００２４】
ステップＳ３０３で、所定時刻になったことが検知されると、ステップＳ３０４で新聞組版決定部１３において、新聞を構成する各記事の重要性と新聞紙面の有限性を考慮して組版が決定される。このとき、１つの記事はできるだけひとまとまりになるようにし、もし紙面の構成上分けなければならない場合であっても、新聞に視聴者が続けて読めるように、読みやすさを考慮して、分けられた記事の配置を決める。この場合に分けられた先の記事の最後には続きがどこに書かれているかを注意的に記載する。
【００２５】
このようにして新聞の組版が決定すると、新聞記事がその配置を含めて新聞組版決定部１３から新聞配信部１４及びモバイル端末配信部１５に送られて、ステップＳ３０５でこれらの配信部から配信される。
【００２６】
モバイル端末配信部１５から配信される新聞記事は、通常新聞の画面配置とは異なり、画面の小さい場合を想定して、モバイル端末の画面で見やすいように配信される。例えば、最初には見出しのみを並べて表示させ、それらの見出しのいずれかをクリックしたとき該当記事を表示させる。また、その記事の最初の１行を表示させクリックするとその後の記事の詳細を表示させる。新聞配信部１４から通常新聞として配達される新聞記事は印刷時に固定されるが、電子新聞として配信される記事はもっと柔軟に記事の位置が決められる。モバイル端末への配信と同様に行ってもよい。
【００２７】
ステップＳ３０５で新聞配信部１４及びモバイル端末配信部１５から配信された新聞記事は、それらの視聴者により読まれ、その反応は反応情報取得解析部１７において取得される。新聞配信部１４から配信された新聞を読む新聞視聴者１６ａの反応は、図２に示す新聞反応情報取得部２４において集められる。モバイル端末配信部１５から配信されたモバイル端末用の新聞記事はモバイル端末を用いてモバイル端末視聴者１６ｂにより読まれる。モバイル端末視聴者１６ｂによって読まれ、ツイッタに引用され、書き込まれた感想、コメントは、図２に示すツイッタ情報取得部２１に取得される。モバイル端末視聴者１６ｂによってフェイスブックに引用され、書き込まれた感想、コメントは、図２に示すフェイスブック情報取得部２２に取得され、その他のブログに引用され、書き込まれた感想、コメントは、ブログ情報取得部２３に取得される（ステップＳ３０６）。
【００２８】
このようにして各種のメディアから集められた新聞の各記事に対する反応情報は反応情報解析部２５において解析される。反応情報の解析は、各記事に対する反応情報が多かったか少なかったかにより判断される。これら反応情報を解析した後、記事関心度測定部２６では、記事毎の関心度が測定され、その結果がステップＳ３０７で新聞情報変更部１８に送られる。
【００２９】
新聞情報変更部１８では、新聞組版決定部１３から先に送られてきている新聞の組版の各記事の反応（関心度）を考慮する。反応が大きかった記事については、新聞を配信した後の新しい情報や、更に詳しい関連記事を新規情報蓄積ＤＢ１２から取得し、記事のスペースを大きくして詳しくし（拡充）、視聴者の反応の少なかった記事は小さいスペースにまとめて記事毎の情報量を変えて、モバイル端末配信部１５に送る（ステップＳ３０８）。
【００３０】
ステップＳ３０９では、モバイル端末配信部１５から新聞情報が配信される。これらの情報はモバイル端末視聴者１６ｂにより受信される。モバイル端末配信部１５から配信される新聞情報はモバイル端末視聴者１６ｂだけでなく、電子新聞を視聴する新聞視聴者１６ａも受信し見ることができる。
【００３１】
ステップＳ３１０では、ステップＳ３０３での所定時刻から所定時間経過したか判断され所定時間を経過しているときには、ステップＳ３０１に戻って新規情報取得部１１で新しい情報を取得し、ステップＳ３０２では、新規情報取得部１１で得られた新規情報を新規情報蓄積ＤＢ１２に蓄積する。
【００３２】
このステップＳ３０１とＳ３０２の新規情報の取得およびその蓄積は、ステップＳ３１０で所定時間経過しない間にも、常時行うようにしておく方が好ましい。
【００３３】
ステップＳ３１０で、所定時間経過していないと判断されたときには、ステップＳ３０６に戻り反応情報取得解析部１７において視聴者からの反応情報を取得する。この反応情報の多くは直前にモバイル端末配信部１５から配信された新聞情報の各記事に対する反応である。先にステップＳ３０５において新聞配信部１４及びモバイル端末配信部１５から配信された新聞情報に対する反応情報である場合もある。この場合には、直前にモバイル端末配信部１５から配信された新聞情報の各記事に対する反応と区別する必要がある。
【００３４】
次にモバイル端末視聴者からの反応を反応情報取得解析部１７において取得し、ステップＳ３０７で、その反応情報に基づく各記事に対する関心度の情報を新聞情報変更部１８に送る。ステップＳ３０８では、関心度の情報に基づいて記事ウェイトを変えた新聞情報が再びモバイル端末配信部１５に送られ、このモバイル端末配信部１５から新聞情報が配信される。
【００３５】
このようにして、所定時間経過するまで、ステップＳ３０６〜Ｓ３０９のステップは繰り返される。すなわち、通常新聞及び電子新聞が配信された後、何回か新聞の各視聴者からの反応情報に基づいた新聞情報がモバイル端末配信部１５から配信されることになる。
【００３６】
なお、モバイル端末配信部１５から配信された新聞情報は、パソコンなどにより新聞視聴者１６ａが視聴することができるようにしてもよい。
【００３７】
なお、上記実施形態では、新聞配信部から通常新聞の配信（配達）と電子新聞の配信が共になされる形態について説明した。しかし、両新聞の一方のみの配信を行うようにしてもよい。
【００３８】
上記実施形態では、所定時刻に組版を決めて新聞を新聞配信部及びモバイル端末配信部から配信し、その後、所定時間経過後にモバイル端末配信部から新聞情報を配信するようにした。しかし、最初、新聞配信部から新聞情報を配信しその後、各記事に対する視聴者の反応を見て、モバイル端末配信部から新聞情報を配信するようにしてもよい。
【００３９】
上記実施形態では、ツイッタ情報、フェイスブック情報及びその他のブログ情報から、配信された各記事の関心度を測定していた。しかし、ツイッタ情報、フェイスブック情報及びその他のブログ情報のすべてから反応情報を取得する必要はなく、少なくともそのうちの１つから反応情報を取得すればよい。
【００４０】
上記実施形態では、新聞情報の配信は新聞の組版を決める前の時点から所定時間経過するまで繰り返されていた。しかし、新聞配信の時点から所定時間経過まで繰り返すようにすることも可能である。また、新聞の配信の後、１回など所定回数だけ新聞情報を配信するようにしてもよい。
【００４１】
以上説明したように、普段は定期的に新聞を見ることができ、その後は最新の情報を知ることが可能な新聞情報配信システムが得られる。
【００４２】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１０・・・・新聞情報配信システム
１１・・・・新規情報取得部
１２・・・・新規情報蓄積ＤＢ
１３・・・・新聞組版決定部
１４・・・・新聞配信部
１５・・・・モバイル端末配信部
１６ａ・・・・新聞視聴者
１６ｂ・・・・モバイル端末視聴者
１７・・・・反応情報取得解析部
１８・・・・新聞情報変更部
２１・・・・ツイッタ情報取得部
２２・・・・フェイスブック情報取得部
２３・・・・ブログ情報取得部
２４・・・・新聞反応情報取得部
２５・・・・反応情報解析部
２６・・・・記事関心度測定部
【図１】
2013196261.tif 000003
【図２】
2013196261.tif 000004
【図３】
2013196261.tif 000005